(57)【要約】【課題】使用者が確実にスイッチを押したことを体感的に認識できるように、良好なクリックアクションを得ることのできるキーボード表示装置を提供すること。【解決手段】メンブレンスイッチ１の上に貼着された第１のエンボスシート６と、その上に貼着された第２のエンボスシート７とを有し、第２のエンボスシート７には、スイッチ素子５に対向する位置にエンボス加工により形成された複数の第２の押下部８を有し、第１のエンボスシート６には、スイッチ素子５と第２の押下部８の間に、第２の押下部８より小さくエンボス加工された第１の押下部９を設けることで、使用者が押下部を押す際に得られるクリック感は、第２の押下部のエンボス面積には左右されずに、主に第１の押下部にて得られ、第２の押下部の面積にかかわらず、第１の押下部の大きさを同じにすることで各押下部においてほぼ同じクリック感を得ることができる。【選択図】図１
2005347097.tif 000002
【特許請求の範囲】
【請求項１】
複数のスイッチ素子を備えたメンブレンスイッチと、メンブレンスイッチの上に貼着された第１のエンボスシートと、第１のエンボスシートの上に貼着された第２のエンボスシートとを有し、第２のエンボスシートには、スイッチ素子に対向する位置にエンボス加工により形成された複数の第２の押下部を有し、第１のエンボスシートには、スイッチ素子と第２の押下部の間に、第２の押下部より小さくエンボス加工された第１の押下部を有することを特徴としたキーボード装置。
【請求項２】
第１の押下部のエンボス範囲に対し、複数の第２の押下部を配置した請求項１に記載のキーボード装置。
【請求項３】
請求項１に記載のキーボード装置を用いた加熱調理器。
【発明の詳細な説明】
【技術分野】
【０００１】
本発明は、使用者が確実にスイッチを押したことを体感的に認識できるように、良好なクリックアクションを得ることのできるキーボード表示装置またはそれを用いた加熱調理器に関するものである。
【背景技術】
【０００２】
従来、この種のキーボード装置は、メンブレンスイッチの１つのスイッチ素子に対して、エンボスシートの１つの押下部を対向する位置に配置してクリックアクションを得ている（例えば、特許文献１参照）。
【０００３】
図２は、特許文献１に記載された従来のキーボード装置を示すものである。図２に示すように、複数のスイッチ素子５を備えたメンブレンスイッチ１と、メンブレンスイッチ１の上に貼着されたエンボスシート２を有し、エンボスシート２には、スイッチ素子３に対向する位置にエンボス加工により形成された複数の押下部４を有しており、使用者は、エンボス加工により形成された押下部４を介してスイッチ素子５を押すため、エンボス加工の深さに応じてキーストロークを得てかつ押下部の変形時に感じるクリック感を得ることができる構成となっている。
【特許文献１】特開２０００−３３９０７９号公報
【発明の開示】
【発明が解決しようとする課題】
【０００４】
しかしながら、前記従来の構成では、押下部となるエンボス加工部分のエンボス径やエンボス面積が大きくなるほど、小さな力でエンボス部分の押下部が変形しスイッチ素子をＯＮさせてしまい、使用者が感じるクリック感が弱くなってしまう。また、面積が大きくなりエンボスシートの深さが十分深くない時には、使用環境や経時変化等によりエンボスシートの押下部がスイッチ素子側に落ち込むように変形した場合にかってにスイッチ素子をＯＮさせてしまう恐れもある。また、複数の押下部のうち、使用頻度の高い押下部については、他の押下部より大きくするなどの配慮を行った場合、押下部によりクリック感にばらつきが生じてしまう。これらの課題に対して、例えばエンボスシートの厚みを厚くすることで、クリック感向上や変形防止を行うこともできるが、エンボスシートの厚みが厚くなることで、エンボス加工端面にかかる応力が大きくなるなどの理由により、エンボスシートが破れてしまうなどの弊害が生じてしまうという課題を有していた。
【０００５】
本発明は、前記従来の課題を解決するもので、使用者が確実にスイッチを押したことを体感的に認識できるように、良好なクリックアクションを得ることのできるキーボード表示装置またはそれを用いた加熱調理器を提供することを目的とする。
【課題を解決するための手段】
【０００６】
前記従来の課題を解決するために、本発明のキーボード装置は、複数のスイッチ素子を備えたメンブレンスイッチと、メンブレンスイッチの上に貼着された第１のエンボスシートと、第１のエンボスシートの上に貼着された第２のエンボスシートとを有し、第２のエンボスシートには、スイッチ素子に対向する位置にエンボス加工により形成された複数の第２の押下部を有し、第１のエンボスシートには、スイッチ素子と第２の押下部の間に、第２の押下部より小さくエンボス加工された第１の押下部を有することを特徴としたものである。
【０００７】
これによって、使用者が押下部を押す際に得られるクリック感は、第２の押下部のエンボス面積には左右されずに、主に第１の押下部にて得られることになる。また、第２の押下部の面積にかかわらず、第１の押下部の大きさを同じにすることで各押下部においてほぼ同じクリック感を得ることができるとともに、使用環境や経時変化等により第２の押下部が変形した場合でも、第２の押下部とスイッチ素子との間にある第１の押下部がカバーの役目を果たし、かってにスイッチ素子がＯＮすることを防ぐことにつながる。したがって、使用者の操作性向上に対してより大きな押下部を形成しても、クリック感を損なうことなく良好なクリックアクションを得ることができる。
【発明の効果】
【０００８】
本発明のキーボード装置は、スイッチ素子と第２の押下部の間に、第２の押下部より小さくエンボス加工された第１の押下部を有することを特徴としたものである。
【０００９】
これによって、使用者が押下部を押す際に得られるクリック感は、第２の押下部のエンボス面積には左右されずに、主に第１の押下部にて得られることになる。また、第２の押下部の面積にかかわらず、第１の押下部の大きさを同じにすることで各押下部においてほぼ同じクリック感を得ることができるとともに、使用環境や経時変化等により第２の押下部が変形した場合でも、第２の押下部とスイッチ素子との間にある第１の押下部がカバーの役目を果たし、かってにスイッチ素子がＯＮすることを防ぐことにつながる。したがって、使用者の操作性向上に対してより大きな押下部を形成しても、クリック感を損なうことなく良好なクリックアクションを得ることができる。
【発明を実施するための最良の形態】
【００１０】
第１の発明は、複数のスイッチ素子を備えたメンブレンスイッチと、メンブレンスイッチの上に貼着された第１のエンボスシートと、第１のエンボスシートの上に貼着された第２のエンボスシートとを有し、第２のエンボスシートには、スイッチ素子に対向する位置にエンボス加工により形成された複数の第２の押下部を有し、第１のエンボスシートには、スイッチ素子と第２の押下部の間に、第２の押下部より小さくエンボス加工された第１の押下部を有することを特徴としたものである。
【００１１】
これによって、使用者が押下部を押す際に得られるクリック感は、第２の押下部のエンボス面積には左右されずに、主に第１の押下部にて得られることになる。また、第２の押下部の面積にかかわらず、第１の押下部の大きさを同じにすることで各押下部においてほぼ同じクリック感を得ることができるとともに、使用環境や経時変化等により第２の押下部が変形した場合でも、第２の押下部とスイッチ素子との間にある第１の押下部がカバーの役目を果たし、かってにスイッチ素子がＯＮすることを防ぐことにつながる。したがって、使用者の操作性向上に対してより大きな押下部を形成しても、クリック感を損なうことなく良好なクリックアクションを得ることができる。
【００１２】
第２の発明は、第１の発明のキーボード装置の第１の押下部のエンボス範囲に対し、複数の第２の押下部を配置した構成にすることで、第２の押下部がより大きくなっても、第１の発明と同様の効果を得ることができる。
【００１３】
第３の発明は、第１または第２の発明のキーボード装置を加熱調理器に用いることにより、第１または第２の発明と同様の効果を得ることができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態におけるキーボード装置の構成図を示すものである。
【００１６】
図１において、複数のスイッチ素子５を備えたメンブレンスイッチ１と、メンブレンスイッチ１の上に貼着された第１のエンボスシート６と、第１のエンボスシート６の上に貼着された第２のエンボスシート７とを有し、第２のエンボスシート７には、スイッチ素子５に対向する位置にエンボス加工により形成された複数の第２の押下部８を有し、第１のエンボスシート６には、スイッチ素子５と第２の押下部８の間に、第２の押下部８より小さくエンボス加工された第１の押下部９を設けている。
【００１７】
以上のように構成されたキーボード装置について、以下その動作、作用を説明する。
【００１８】
まず、使用者がキーボード装置を操作するため、第２の押下部８を押す。そこで第２の押下部８の下に配置された第１の押下部９が押される。ここで、第１の押下部９は第２の押下部８より小さいエンボス加工が施されており、使用者が押す力にて第１の押下部９が変形し、所望のクリック感を得ながらスイッチ素子５をＯＮさせることとなる。
【００１９】
これによって、使用者が押下部を押す際に得られるクリック感は、第２の押下部のエンボス面積には左右されずに、主に第１の押下部にて得られることになる。また、第２の押下部の面積にかかわらず、第１の押下部の大きさを同じにすることで各押下部においてほぼ同じクリック感を得ることができるとともに、使用環境や経時変化等により第２の押下部が変形した場合でも、第２の押下部とスイッチ素子との間にある第１の押下部がカバーの役目を果たし、かってにスイッチ素子がＯＮすることを防ぐことにつながる。したがって、使用者の操作性向上に対してより大きな押下部を形成しても、クリック感を損なうことなく良好なクリックアクションを得ることができる。
【００２０】
以上のように、本実施形態においては、本発明のキーボード装置は、スイッチ素子と第２の押下部の間に、第２の押下部より小さくエンボス加工された第１の押下部を有することを特徴とすることにより、使用者が押下部を押す際に得られるクリック感は、第２の押下部のエンボス面積には左右されずに、主に第１の押下部にて得られることになる。また、第２の押下部の面積にかかわらず、第１の押下部の大きさを同じにすることで各押下部においてほぼ同じクリック感を得ることができるとともに、使用環境や経時変化等により第２の押下部が変形した場合でも、第２の押下部とスイッチ素子との間にある第１の押下部がカバーの役目を果たし、かってにスイッチ素子がＯＮすることを防ぐことにつながる。したがって、使用者の操作性向上に対してより大きな押下部を形成しても、クリック感を損なうことなく良好なクリックアクションを得ることができる。
【産業上の利用可能性】
【００２１】
以上のように、本発明にかかるキーボード装置は、簡単な構成でより良好なクリックアクションを得ることが可能となるので、加熱調理器のみならずキーボード装置を使用する他分野への展開も図れる。
【図面の簡単な説明】
【００２２】
【図１】本発明の実施の形態１におけるキーボード装置の構成図
【図２】従来のキーボード装置の構成図
【符号の説明】
【００２３】
１  メンブレンスイッチ
５  スイッチ素子
６  第１のエンボスシート
７  第２のエンボスシート
８  第２の押下部
９  第１の押下部
【図１】
2005347097.tif 000003
【図２】
2005347097.tif 000004